(57)【要約】【課題】地震警報を表示できるだけでなく、地震発生時以外には有用な情報を表示できる地震報知システムを提供すること。【解決手段】地震報知システム１は、地震波のうち初期微動(Ｐ波)を検知することで、地震の予測情報を演算し、演算された予測情報に基づいて地震警報信号を出力する震度計２０と、震度計２０に接続され、ＦＭ多重放送の文字情報をスクロール表示するＦＭ多重表示装置１０と、を備えている。ＦＭ多重表示装置１０が、地震警報信号を入力したときに、地震に関する地震文字情報をＦＭ多重放送の文字情報より優先して表示させるように構成されている。震度計２０による地震警報信号を入力したときに、音声情報を出力する音声警報手段４０を備えてもよい。【選択図】図１
2011065496.tif 000002
【特許請求の範囲】
【請求項１】
地震波のうち初期微動を検知することで、地震の予測情報を演算し、前記演算された予測情報に基づいて地震警報信号を出力する震度計と、
前記震度計に接続され、ＦＭ多重放送の文字情報をスクロール表示するＦＭ多重表示装置と、を備え、
前記ＦＭ多重表示装置が、前記地震警報信号を入力したときに、地震に関する地震文字情報を前記ＦＭ多重放送の文字情報より優先して表示させることを特徴とする、
地震報知システム。
【請求項２】
前記地震文字情報を記憶する表示メッセージ記憶手段を備え、
前記ＦＭ多重表示装置が、前記入力した地震警報信号に基づいて、前記表示メッセージ記憶手段に記憶された地震文字情報を表示することを特徴とする、
請求項１に記載の地震報知システム。
【請求項３】
前記震度計による地震警報信号を入力したときに、音声情報を出力する音声警報手段と、
前記音声情報を記憶する音声メッセージ記憶手段と、を備える、
請求項１又は請求項２に記載の地震報知システム。
【発明の詳細な説明】
【技術分野】
【０００１】
本発明は、地震の警報を報知する地震報知システムに関する。
【背景技術】
【０００２】
従来の地震報知システムとして、地震情報を表示すると共に地震警報を発生する地震警報表示盤と、地震警報表示盤の表示より特定の距離だけ離れて設置されると共に、地震警報表示盤に表示される地震情報を前記用紙に印字する印字装置と、印字装置に設けられた、地震警報表示盤に表示される地震発生時刻と震度階の表示をクリアする表示クリア指示手段を備えるものがある（例えば、特許文献１参照）。地震警報表示盤の設置位置は、見やすさを鑑み高い場所等に選定される。
【先行技術文献】
【特許文献】
【０００３】
【特許文献１】特開２００３−１６１７８４号公報
【発明の概要】
【発明が解決しようとする課題】
【０００４】
特許文献１に記載された地震報知システムは、以下のような問題点を有している。地震情報を表示する地震警報表示盤は、地震情報の表示のみ行なえるものであるため、地震発生時以外は、基本的に何も表示しておらず、設置位置を占有しているのみに留まる。即ち、通常時は何も活用されていない。
【０００５】
本発明は、地震警報を表示できるだけでなく、地震発生時以外には有用な情報を表示できる地震報知システムを提供することを目的としている。
【課題を解決するための手段】
【０００６】
本発明の地震報知システムは、地震波のうち初期微動を検知することで、地震の予測情報を演算し、演算された予測情報に基づいて地震警報信号を出力する震度計と、震度計に接続され、ＦＭ多重放送の文字情報をスクロール表示するＦＭ多重表示装置と、を備え、ＦＭ多重表示装置が、地震警報信号を入力したときに、地震に関する地震文字情報をＦＭ多重放送の文字情報より優先して表示させることを特徴とする。
【０００７】
本発明では、震度計を備えるので、初期微動(Ｐ波)を検知することで、地震波の主要動(Ｓ波)の予測情報を得られ、この予測情報に基づいて地震警報信号を出力できる。また震度計により、地震波の直接的な計測を可能にし、予測情報等の地震に関する情報を即座に得ることができる。また、ＦＭ多重表示装置により、ＦＭ多重放送の文字情報をスクロール表示することができるため、ＦＭ多重放送のニュース等の有用な情報を表示できる。さらに、震度計に接続されたＦＭ多重表示装置が、地震警報信号を入力したときに、地震に関する地震文字情報をＦＭ多重放送の文字情報より優先して表示させるため、地震発生時には、即座に地震文字情報を表示することで、地震の警報を報知でき、また地震発生時以外即ち通常時には、ＦＭ多重放送の文字情報を表示するため、有用な情報を発信できる。
【０００８】
地震の予測情報の演算とは、典型的には検知した初期微動(Ｐ波)の揺れの方向、振幅等波形の情報から、主要動(Ｓ波)の到達時間、最大震度等を算出することである。即ち、地震の予測情報とは、この演算により算出された主要動(Ｓ波)の到達時間、最大震度等を予測した情報である。なお、地震予測情報の演算は、上述に限られず、例えば検知した初期微動(Ｐ波)から、少なくとも、まもなく大きな主要動(Ｓ波)が到達することを予測する程度のものであってもよい。この場合には、地震波を検出するセンサや、予測情報の演算を簡易化できる。
【０００９】
好ましくは、地震報知システムは、地震に関する地震文字情報を記憶する表示メッセージ記憶手段を備え、ＦＭ多重表示装置が、震度計から入力した地震警報信号に基づいて、表示メッセージ記憶手段に記憶された地震文字情報を表示する。この場合には、表示メッセージ記憶手段に予め地震に関する地震文字情報を定型メッセージとして記憶しておくことで、構成を単純にできる。
【００１０】
好ましくは、地震報知システムは、震度計による地震警報信号を入力したときに、音声情報を出力する音声警報手段と、音声情報を記憶する音声メッセージ記憶手段と、を備える。この場合には、ＦＭ多重表示装置による地震文字情報の表示だけでなく、音声による警報を報知できるため、より確実に地震の警報を周囲に報知できる。
【発明の効果】
【００１１】
本発明によれば、地震警報を表示できるだけでなく、地震発生時以外には有用な情報を表示できる地震報知システムを提供することができる。
【図面の簡単な説明】
【００１２】
【図１】本実施形態に係る地震報知システムの構成を概略的に示す図である。
【図２】本実施形態に係る地震報知システムの構成を示すブロック図である。
【図３】本実施形態に係るＦＭ多重表示装置の表示例を示す正面図である。
【図４】本実施形態に係る地震報知システムの変形例の構成を概略的に示す図である。
【発明を実施するための形態】
【００１３】
以下、添付図面を参照して、本発明の好適な実施形態について詳細に説明する。なお、説明において、同一要素又は同一機能を有する要素には、同一符号を用いることとし、重複する説明は省略する。
【００１４】
図１〜図３を参照して、本実施形態に係る地震報知システム１を説明する。図１は本実施形態に係る地震報知システム１の構成を概略的に示す図であり、図２は本実施形態に係る地震報知システム１の構成を示すブロック図であり、図３は、本実施形態に係る地震報知システム１のＦＭ多重表示装置１０のスクロール表示を説明するための図である。
【００１５】
地震報知システム１は、図１、２に示されるように、震度計２０と、震度計２０に接続されたＦＭ多重表示装置１０とを備えており、震度計２０により地震波を検知及びその検知結果を解析することで地震警報を発し、ＦＭ多重表示装置１０によりその地震警報を表示することで、地震警報を報知するものである。地震報知システム１は、地震警報を報知することが有効と思われる公共施設、例えば空港、駅、役所、ホテル、銀行に設置されるものであるが、集合住宅、オフィス、スポーツジム、コンビニエンスストアへの設置にも好適なものである。
【００１６】
震度計２０は、地震波のうち初期微動(Ｐ波)を検知することで、地震の予測情報を演算し、演算された予測情報に基づいて地震警報信号を出力するように構成されている。即ち、いわゆる早期地震検知機能を有するものである。
【００１７】
早期地震検知機能とは、地震波の初期微動(Ｐ波)が、大きな被害をもたらす主要動(Ｓ波)より伝播速度が速い(約１．７倍)という特性を利用することで、先に検知できるＰ波を検知、解析することにより、遅れて到達する地震(Ｓ波)の揺れの強さや、到達までの猶予時間(到達時間)を算出する機能のことである。より具体的には早期地震検知機能は、震度計２０が有している地震センサ２１が、Ｐ波を検知し、検知したＰ波の振幅や揺れの方向(３方向成分)から、主要動、即ち地震の規模(マグニチュード)や地震発生場所までの距離を計算して、地震(Ｓ波)の揺れの強さ(震度)や、到達時間を計算する機能である。言い換えれば、検出されたＰ波から地震の予測情報を演算する機能である。なお、本実施の形態では予測情報として、予測される地震の震度、到達までの猶予時間を算出する震度計を用いるが、単に大きな地震(例えば震度５以上)が到達することのみを予測情報とするような簡易な震度計を用いてもよい。この場合には、震度計の構成を単純化できる。
【００１８】
本実施形態の震度計２０は、早期地震検知機能の他、通常の機能であるリアルタイムに震度(地震波の検知時点での震度)を計測する機能も有している。また震度計２０は、自動車の振動等の人工的なノイズの影響を受けにくい場所へ設置することが望ましい。また、本実施の形態では、地震センサ２１が震度計２０に内蔵されている場合で説明するが、別体としてもよい。地震センサ２１を震度計２０と別体に構成する場合には、地震センサ２１のみ振動ノイズの影響を受けにくい場所へ設置すればよい。
【００１９】
震度計２０は、複数又は１つの接点を有しており、地震警報信号として接点出力(接点をＯＮ／ＯＦＦ)を行うように構成されている。本実施の形態では、接点は複数であり、具体的には接点数が４つの場合で説明する。この場合には、複数の接点に対応するように複数の警報を設定することができ(例えば複数段階の警報レベル)、各接点をＯＮ／ＯＦＦ(地震警報信号の接点出力)することで、複数種類の地震警報信号を出力できる。これにより、例えば、後述するようにＦＭ多重表示装置に複数種類の地震文字情報を表示させることができる。また、地震警報信号の出力を接点出力とすることで、例えば地震警報信号に地震の予測情報を含む信号のような複雑な信号を出力する場合に比べて、単純なシステムとすることができる。また、接点出力であれば、エレベータ制御盤、電気制御盤、ガス制御盤のような外部装置と容易に接続することが可能である。なお、本実施の形態では接点は複数(４つ)の場合で説明したが、１つであってもよい。この場合には、１種類の地震警報信号を出力できないが、構成をより単純化することができ、安価な製品を実現できる。
【００２０】
震度計２０は、予測情報から警報のレベルを判定するように構成されている。警報レベルの判定は、予測情報の震度の大きさにより行なう。警報レベルは、複数段階の設定、例えば震度３未満(レベル１)、震度３以上震度５弱未満(レベル２)、震度５弱以上(レベル３)とするとよい。震度計２０は、警報レベルに対応した地震警報信号の出力、即ち接点出力を行なう。なお、本実施の形態では判定された警報レベルが、上記レベル１の場合には地震警報信号の出力は行なわないように設定される。
【００２１】
ところで、地震報知システム１は、地震センサを有する震度計２０を備えることで、震度計を備えずに外部(気象庁等)から地震の情報を得るものと比較して、例えば地震の輻射特性、伝播特性、観測地点効果を加味した設置地点固有の震度の予測や計測が可能となる利点がある。
【００２２】
ＦＭ多重表示装置１０は、震度計２０に電気的に接続され、ＦＭ多重放送の文字情報をスクロール表示するものである。ＦＭ多重放送の文字情報は、ＦＭ多重放送を受信することにより得られる文字情報、例えばニュース、天気予報、交通情報、スポーツニュース等である。なお、ＦＭ多重表示装置１０は、施設の案内や広告、連絡事項等の任意のメッセージも表示する機能も有している。
【００２３】
ＦＭ多重表示装置１０は、スクロール表示が可能な表示部１１と、ＦＭ多重放送を受信し、文字情報を得る機能を有するＦＭ多重文字放送受信器１２と、表示部１１とＦＭ多重文字放送受信器１３とを制御する制御ユニット１２とを含んで構成される。なお、図２では表示部１１と制御ユニット１２とを別体で示しているが、一体に構成されていてもよい。
【００２４】
制御ユニット１２には、震度計２０が電気的に接続され、震度計２０から出力される地震警報信号を入力可能に構成されている。制御ユニット１２は、ＦＭ多重文字放送受信器１３と、表示部１１に表示するための地震文字情報を記憶する表示メッセージ記憶手段としての表示メッセージ記憶部１５とを内蔵している。本実施の形態では、ＦＭ多重文字放送受信器１３と、表示メッセージ記憶部１５とが、制御ユニット１２に内蔵されている場合で説明しているが、各々が別体として構成してもよい。
【００２５】
制御ユニット１２は、震度計２０から出力された地震警報信号を入力したときに、地震に関する地震文字情報をＦＭ多重放送の文字情報より優先して表示させる制御を行うように構成されている。地震文字情報とは、表示部１１に表示するための地震を報知するメッセージであり、文字による情報である。例えば、「地震です！まもなく強く揺れます」といったメッセージである。
【００２６】
制御ユニット１２は、震度計２０から地震警報信号に基づいて、表示メッセージ記憶部１５に記憶された地震文字情報を表示するように構成されている。表示メッセージ記憶部は、フラッシュメモリや、ハードディスク等の記憶媒体である。より具体的には制御ユニット１２は、入力した地震警報信号の警報レベルに対応する地震文字情報を読み出して、表示部１１に表示させる。例えば、入力した地震警報信号が、震度５弱以上(レベル３)を示すものであれば、それに対応する地震文字情報(メッセージ)、例えば「震度５弱以上の地震がきます！」というようなメッセージを表示部１１に表示させる。
【００２７】
さらに制御ユニット１２は、不図示の入力手段により入力された任意の文字情報(メッセージ)を表示メッセージ記憶部１５へ入力(記憶)させることができる。任意のメッセージは、制御ユニット１２にキーボード等の入力手段を接続することで入力可能とする他、パソコンや携帯電話、ＰＤＡ等の端末を接続可能なインターフェースを制御ユニット１２の入力手段として構成することで入力可能としてもよい。本実施の形態では赤外線通信によりメッセージを入力可能に構成されている。これにより、表示部１１に、設置した施設に関する情報や案内事項等の文字情報を任意のメッセージとして表示させることができる。また、制御ユニット１２は、表示メッセージ記憶部１５に記憶された文字情報の表示を制御することができる。即ち、表示メッセージ記憶部１５の記憶された各文字情報をいつ表示するかを設定することができ、この設定に基づいて表示部１１への表示を制御できる。なお、任意の文字情報を表示させる場合には、ＦＭ多重放送の文字情報の表示に割り込ませて表示するようにするとよい。つまり、表示部１１にＦＭ多重放送の文字情報を表示させている場合には、その表示を中止し、任意の文字情報を優先表示させる。
【００２８】
表示部１１は、制御ユニット１２に電気的に接続され、その表示を制御されている。本実施の形態では、図３に示すように、１行の文字列をスクロール表示するものを用いる。また、表示部１１は、典型的には蛍光表示管(真空蛍光ディスプレイ)である。蛍光表示管を用いることで、視認性の高いスクロール表示を行なうことができる。蛍光表示管は市場に流通しているものを利用する。また蛍光表示管を用いることで、地震文字情報、即ちまもなく地震が到達することを大きく明瞭に表示することができるため、離れた位置からでも容易に視認することができる。
【００２９】
表示部１１は、通常時(地震発生時以外)には、図３(ａ)のように、受信されたＦＭ多重放送の文字情報を表示しているが、制御ユニット１２が震度計２０より地震警報信号を入力したときには、図３(ｂ)のように、ＦＭ多重放送等の文字情報から表示を切り替えて、地震文字情報をスクロール表示する。
【００３０】
地震報知システム１は、さらに震度計２０による地震警報信号を入力したときに、音声情報を出力する音声警報手段としての音声警報装置４０を備えている。また音声警報装置４０は、音声情報を記憶する音声メッセージ記憶手段としての音声メッセージ記憶部４１を有している。音声警報装置４０は、地震警報信号を入力したときに予め音声メッセージ記憶部４１に記憶された音声情報を読み出して、内蔵されたスピーカー４２により出力できるように構成されている。音声情報は、ＦＭ多重表示装置１０に表示される地震文字情報を読み上げたもの、例えば「地震です。まもなく強くゆれます」といったメッセージである。なお、出力される音声情報には、メッセージの他、警報音やブザー音も含まれるものとする。
【００３１】
さらに地震報知システム１は、チェック用スイッチ５１を備えている。チェック用スイッチ５１は、複数の押しボタンを有しており、ボタンを押下することにより、表示メッセージ記憶部１５に記憶された地震文字情報を表示部１１に表示させることができるものである。チェック用スイッチ５１により、表示メッセージ記憶部１５に記憶された地震文字情報の内容を簡単に確認することができるため、例えば点検保守の際に便利である。なお、複数の押しボタンは、表示メッセージ記憶部１５に記憶された複数の地震文字情報に対応するように構成するとよい。また、チェック用スイッチ５１は、音声メッセージ記憶部４１に記憶された音声情報を音声警報装置４０により出力することもできる。
【００３２】
本実施の形態では、ＦＭ多重表示装置１０と、震度計２０と、音声警報装置４０と、チェック用スイッチ５１とは、ターミナル３０を介して接続されている。このようにすることで、単純な接続形態とすることができ、設置が容易である。
【００３３】
ここで、地震報知システム１の動作について説明する。地震報知システム１は、通常時、つまり震度計２０により地震波を検知していないときには、ＦＭ多重表示装置１０で、ＦＭ多重文字放送受信器１３により得たニュース速報等の文字情報を、表示部１１にスクロール表示させている。またこのときには、震度計２０は地震波の監視を継続的に行なっている。
【００３４】
地震の発生時には、まず震度計２０が、地震波のＰ波を検知し、その検知結果から地震(Ｓ波)の予測情報(震度、到達時間)を算出する。そして震度計２０は、算出した予測情報から警報レベルを判定し、判定された警報レベルに対応する接点出力(地震警報信号出力)を行なう。
【００３５】
ＦＭ多重表示装置１０の制御ユニット１２は、震度計２０からの警報レベルに対応する地震警報信号を入力すると、入力した信号の警報レベルに対応する地震文字情報を表示メッセージ記憶部１５から読み出し、表示部１１にスクロール表示させる。このとき、表示部１１にＦＭ多重放送の文字情報を表示させていた場合には、その表示を直ちに中止し、地震文字情報を表示させる(割り込み表示させる)。
【００３６】
また同時に、震度計２０より出力された地震警報信号は、音声警報装置４０にも入力される。音声警報装置４０は、警報レベルに対応する地震警報信号を入力すると、入力した信号の警報レベルに対応する音声情報を音声メッセージ記憶部４１から読み出し、スピーカー４２から出力させる。
【００３７】
以上のように、地震報知システム１は、通常時には、ＦＭ多重表示装置１０により、受信したＦＭ多重放送の文字情報をスクロール表示し、地震発生時には、ＦＭ多重表示装置１０による地震文字情報のスクロール表示と、音声警報装置４０による音声情報の出力により、地震の警報を報知する。
【００３８】
ここで図４を参照して、地震報知システムの別の実施例としての、集合住宅用地震報知システム１０１について説明する。集合住宅用地震報知システム１０１は、特に複数の住戸を有する集合住宅に設置するものである。集合住宅用地震報知システム１０１は、上述の地震報知システム１と比較して、震度計２０に接続され、震度計２０からの地震警報信号の入力に基づいて地震警報を配信する警報制御盤６０と、警報制御盤６０に接続され、警報制御盤６０より配信される地震警報を報知する各住戸に配置されたインターフォン７１とを備えている点で異なる。また、上述の音声警報装置４０とチェック用スイッチ５１は警報制御盤６０に内蔵されて構成されている。この場合には、音声警報装置４０やチェック用スイッチ５１を別に構成しなくてよいのでシステムを単純化できる。ＦＭ多重表示装置１０は典型的には管理室に設置されるが、共用施設(会議室やロビー等)に設置してもよい。
【００３９】
警報制御盤６０は、管理室に設置され、地震警報信号を入力可能に震度計２０に接続されている。即ち、警報制御盤６０には、ＦＭ多重表示装置１０と同様に、警報レベルに対応した地震警報信号が入力される。警報制御盤６０は、震度計２０から出力される地震警報信号を入力したときには複数のインターフォン７１へ住民向け地震警報を配信できるように構成されている。この地震警報にはインターフォンにより再生可能な音声信号、例えば「地震です。まもなく強くゆれます」といった音声メッセージや、警報音が含まれる。また警報制御盤６０はディスプレイ６１を有しており、地震警報信号を入力したときには予め設定された地震警報表示を行なうように構成されている。なお、ＦＭ多重表示装置１０にように地震警報信号の警報レベルによりディスプレイ６１の地震警報表示を変えるように構成してもよい。
【００４０】
インターフォン７１は、集合集宅の各住戸に設けられ、警報制御盤６０からの地震警報を入力可能に接続されている。インターフォン７１は、ディスプレイ７２とスピーカー７３とを有しており、警報制御盤６０から地震警報を入力したときには、予め設定された地震警報表示(警報制御盤のディスプレイ６１の表示と同様な表示)をディスプレイ７２に表示し、スピーカー７３より地震警報を出力するように構成されている。ここでは、スピーカー７３により出力される地震警報は、警報制御盤６０から配信されたものである場合で説明したが、インターフォン７１に予め警報メッセージを登録し、警報制御盤６０からの地震警報を入力したときに登録された警報メッセージを出力するようにしてもよい。
【００４１】
上述のような集合住宅用地震報知システム１０１であれば、各住戸に設置されたインターフォンにより地震警報を配信できる。
【００４２】
以上、本発明の好適な実施形態について説明してきたが、本発明は必ずしも上述した実施形態に限定されるものではなく、その要旨を逸脱しない範囲で様々な変更が可能である。
【００４３】
以上のように、本実施形態においては、震度計が出力する地震警報信号は、接点出力(ＯＮ／ＯＦＦ信号)の場合で説明したが、接点出力ではなく、地震の予測情報を含む電気信号、即ち地震の大きさ(震度)、到達時間を含む電気信号としてもよい。この場合には、ＦＭ多重表示装置１０を、入力した地震警報信号に含まれる予測情報も表示するように構成する。即ち、入力した予測情報の数値を表示するように構成する。例えば地震文字情報として「震度○○の地震が△△秒後に到達します！」の○○に予測情報の震度の数値を、△△に予測情報の到達時間の数値を入れて表示するようにする。このようにすることで、地震に関してより正確な情報を表示することができる。
【００４４】
また、震度計をエレベータ制御盤にも接続し、地震警報信号をエレベータの制御盤へ出力するように構成し、エレベータを非常停止させる等の動作をさせるように構成してもよい。
【符号の説明】
【００４５】
１…地震報知システム、１０…ＦＭ多重表示装置、１１…表示部、１２…制御ユニット、１３…ＦＭ多重文字放送受信器、１５…表示メッセージ記憶部、２０…震度計、３０…ターミナル、４０…音声警報装置、４１…音声メッセージ記憶部、５１…チェック用スイッチ、６０…警報制御盤、７１…インターフォン。
【図１】
2011065496.tif 000003
【図２】
2011065496.tif 000004
【図３】
2011065496.tif 000005
【図４】
2011065496.tif 000006